(57)【要約】【課題】ケースをコンパクトなものにして、客席誘導灯が設置される客席となる椅子の脚部等の設計の自由度を高めることにある。【解決手段】客席となる椅子の脇に設置されて、通常時は商用電源で光源から発光し、停電時はケース２内の電池７で前記光源から発光して通路を照明する客席誘導灯１において、前記光源として、前記椅子の脇に前記客席誘導灯１を設置した状態で斜め下向きに配置されるＬＥＤ５を、並列接続で複数具えることを特徴としているものである。【選択図】        図１
2005005195.tif 000002
【特許請求の範囲】
【請求項１】
客席となる椅子の脇に設置されて、通常時は商用電源で光源から発光し、停電時はケース内の電池で前記光源から発光して通路を照明する客席誘導灯において、
前記光源として、前記椅子の脇に前記客席誘導灯を設置した状態で斜め下向きに配置されるＬＥＤを具えることを特徴とする、客席誘導灯。
【請求項２】
前記ＬＥＤを互いに並列接続で複数具えるとともに、それら複数のＬＥＤのうちの少なくとも一部が故障したことを検知して警告を出力するＬＥＤ故障検知手段を具えることを特徴とする、請求項１記載の客席誘導灯。
【請求項３】
停電時の電池での発光への切り換え回路が、商用電源の電圧を前記ＬＥＤの作動電圧に変換するトランスを介さず、商用電源に直接接続されるものであることを特徴とする、請求項１または請求項２記載の客席誘導灯。
【請求項４】
遠隔操作スイッチによる点灯・消灯制御回路が、商用電源の電圧を前記ＬＥＤの作動電圧に変換するトランスを介さず、商用電源に直接接続されるものであることを特徴とする、請求項１から請求項３までの何れか記載の客席誘導灯。
【発明の詳細な説明】
【０００１】
【発明の属する技術分野】
この発明は、客席となる椅子の脇に設置されて、通常時は商用電源で光源から発光し、停電時はケース内の電池で前記光源から発光して通路を照明する客席誘導灯に関するものである。
【０００２】
【従来の技術】
従来の上述の如き客席誘導灯は通常、光源として冷陰極管を具えており、停電時は電池の直流低電圧をＤＣ−ＡＣコンバータで交流高電圧に変換してその冷陰極管を作動させている。
【０００３】
【発明が解決しようとする課題】
しかしながら従来の客席誘導灯は、冷陰極管自体が相当大きい上に、冷陰極管の消費電力が大きいことからＤＣ−ＡＣコンバータや電池も大型になるため、それらを収容するケースが大きくなり、客席となる椅子の脇に設置する際にその椅子の脚部等を幅広にしないとそこからはみ出してしまい、椅子の脚部等の設計の自由度を過大に制約するという問題があった。
【０００４】
【課題を解決するための手段およびその作用・効果】
この発明は、上記課題を有利に解決した客席誘導灯を提供することを目的とするものであり、この発明の客席誘導灯は、客席となる椅子の脇に設置されて、通常時は商用電源で光源から発光し、停電時はケース内の電池で前記光源から発光して通路を照明する客席誘導灯において、前記光源として、前記椅子の脇に前記客席誘導灯を設置した状態で斜め下向きに配置されるＬＥＤを具えることを特徴とするものである。
【０００５】
かかる客席誘導灯にあっては、光源としてＬＥＤ（発光ダイオード）を具えており、ＬＥＤはそれ自体小型である上、消費電力が少ないことから電源回路や電池も小さくて済む。従って、この発明の客席誘導灯によれば、ケースをコンパクトなものとし得て、当該客席誘導灯が設置される客席となる椅子の脚部等の設計の自由度を高めることができる。しかも、椅子の脇に当該客席誘導灯を設置した状態でＬＥＤが斜め下向きに配置されるので、真下を向いた場合よりも投光範囲が拡がることからＬＥＤの投光範囲を有効に生かし得て、椅子の脚部の下端部等の付近から所要の範囲の通路を充分に照明することができる。
【０００６】
なお、この発明の客席誘導灯においては、前記ＬＥＤを互いに並列接続で複数具えるとともに、それら複数のＬＥＤのうちの少なくとも一部が故障したことを検知して警告を出力するＬＥＤ故障検知手段を具えていてもよく、このようにすれば、個々のＬＥＤの照度はさほど高くなくても、ＬＥＤが複数集まることで通路を充分に照明することができ、しかも複数のＬＥＤが互いに並列接続されているので、それらの一部が故障しても残りのＬＥＤで照度を確保することができ、複数のＬＥＤのうちの少なくとも一部が故障して所定の照度が維持できなくなったらＬＥＤ故障検知手段がそれを検知して警告を出力するので、ＬＥＤを適当な時期に交換し得て常に所定の照度を維持することができる。
【０００７】
また、この発明の客席誘導灯においては、停電時の電池での発光への切り換え回路が、商用電源の電圧を前記ＬＥＤの作動電圧に変換するトランスを介さず、商用電源に直接接続されるものであってもよく、このようにすれば、商用電源の電圧をＬＥＤの作動電圧に変換するトランスの負担が減るので、そのトランスを小型にし得て、ケースをよりコンパクトなものとすることができる。
【０００８】
さらに、この発明の客席誘導灯においては、遠隔操作スイッチによる点灯・消灯制御回路が、商用電源の電圧を前記ＬＥＤの作動電圧に変換するトランスを介さず、商用電源に直接接続されるものであってもよく、このようにしても、商用電源の電圧をＬＥＤの作動電圧に変換するトランスの負担が減るので、そのトランスを小型にし得て、ケースをよりコンパクトなものとすることができる。
【０００９】
【発明の実施の形態】
以下に、この発明の実施の形態を実施例によって、図面に基づき詳細に説明する。ここに、図１（ａ），（ｂ）および（ｃ）は、この発明の客席誘導灯の一実施例を示す正面図、下面図および側方から見た断面図、図２（ａ）および（ｂ）は、その実施例の客席誘導灯を客席となる背座起立式連結椅子の脚部フレームの脇に装着された状態で示す斜視図および正面図、図３は、上記実施例の客席誘導灯の構造を示す分解斜視図、そして図４は、上記実施例の客席誘導灯の電子回路図であり、図中符号１はその実施例の客席誘導灯、２はその実施例の客席誘導灯のケースをそれぞれ示す。
【００１０】
この実施例の客席誘導灯１は、図１（ａ）〜（ｃ）に示すように、合成樹脂製のケース２を具えるとともに、そのケース２内に、金属板製のベース３と、回路部品を実装したプリント基板４と、光源としての複数（図示例では８個）のＬＥＤ（発光ダイオード）５（後述のＤ１７〜Ｄ２４）をプリント基板上に実装したＬＥＤユニット６と、ニッケル−カドミウム（Ｎｉ−ｃｄ）電池７と、絶縁フィルム８とを具えており、図２に示すように、客席となる例えば背座起立式連結椅子Ｃの、脚部フレームＦの脇に設置されて、通常時は商用電源でＬＥＤユニット６のＬＥＤ５から発光し、停電時はケース２内の電池７でそのＬＥＤユニット６のＬＥＤ５から発光して通路の所要の照射範囲ＬＡを照明する。
【００１１】
ここにおけるケース２は、斜め下向きの面に、ＬＥＤユニット６上の複数のＬＥＤ５に対応した配置で複数の投光孔２ａを有するとともに、正面向きの面に、点検スイッチ（後述のＳＷ１）のボタン９用のボタン孔２ｂと、充電モニタ用ＬＥＤ５（後述のＤ１２）用のモニタ孔２ｃと、ランプモニタ用ＬＥＤ５（後述のＤ１６）用のモニタ孔２ｄとを有しており、ベース３は、そのケース２にネジ止めされるとともに、棒状のスペーサ１０を介してプリント基板４と絶縁フィルム８とを支持して、そのプリント基板４を、図２に示すように客席誘導灯１が連結椅子Ｃの脚部フレームＦの脇に設置された状態では略垂直の向きに延在させ、さらにベース３は、面ファスナ１１を介して電池７を支持している。
【００１２】
複数のＬＥＤ５は各々、図１（ｃ）に示すように、ＬＥＤユニット６のプリント基板に対して斜めに実装され、またＬＥＤユニット６は、プリント基板４にコネクタ（後述のＣＮ３，４）を介して接続および支持されて、プリント基板４に対しＬＥＤユニット６のプリント基板が略直角に向くように位置しており、これにより、ＬＥＤユニット６の複数のＬＥＤ５は各々、図２に示すように客席誘導灯１が連結椅子Ｃの脚部フレームＦの脇に設置された状態では斜め下向きとなって、ケース２の投光孔２ａと整列している。
【００１３】
プリント基板４はそこに搭載した各種部品とともに、図４に示す如き電子回路を構成しており、この電子回路は、定格ＡＣ１００Ｖの商用電源をＬＥＤ５の駆動用のＤＣ５Ｖに変換するＡＣ／ＤＣ変換回路４ａ，４ｂと、商用電源の電圧を検出していてその電圧が定格電圧の８５％以上では切り替えさせず、定格電圧の８５％未満かつ４０％以上で確実に電池作動に切り替えさせる切替制御回路４ｃと、点検スイッチＳＷ１をＯＮにするとＡＣ／ＤＣ変換回路４ａ，４ｂからの給電を停止して電池作動に切り替えさせる点検スイッチ回路４ｄと、客席誘導灯１が設置された建物内の操作盤等に設けられた遠隔操作スイッチＳＷ０がＯＮになると商用電源でフォトリレー（ＩＣ３）を作動させてＡＣ／ＤＣ変換回路４ａ，４ｂからＬＥＤユニット６の複数のＬＥＤ５に給電させる遠隔操作スイッチ制御回路４ｅとを有している。
【００１４】
上記電子回路はまた、ＡＣ／ＤＣ変換回路４ａ，４ｂから電池７に給電して電池７を充電するとともにその充電中緑色の充電モニタ用ＬＥＤ５（Ｄ１２）を点灯させる充電回路４ｆと、電池７の電圧をＬＥＤ５の駆動用のＤＣ５Ｖに昇圧する昇圧回路４ｇと、点検スイッチ回路４ｄの出力電圧を検出していてその電圧が所定値以下になると電池７から昇圧回路４ｇを介してＬＥＤユニット６の複数のＬＥＤ５に給電させる常用・非常用切替検出回路４ｈと、ＬＥＤユニット６の通電電流に応じて変化する電圧を検出していてその電圧の変化に基づきＬＥＤユニット６のＬＥＤ５が所定数（例えば３個）以上切れたこと（およびＬＥＤユニット６の装着し忘れ）を検出したら赤色のランプモニタ用ＬＥＤ５（Ｄ１６）を点灯させるＬＥＤ切れ検出回路４ｉとを有している。
【００１５】
上記電子回路の各種部品の詳細は以下の通りである（括弧内はメーカと型番を示す）。すなわち、Ｃ１：０．１５μＦ．６３０Ｖ、Ｃ２：バリスタ（日ケミＴＮＲ１０Ｖ２４１Ｋ）、Ｃ３，Ｃ８：４７μＦ．６．３Ｖ、Ｃ４：１μＦ．１６Ｖ、Ｃ５，Ｃ６：１０００μＦ．２５Ｖ、Ｃ７，Ｃ１４：０．１μＦ、Ｃ９，Ｃ１０：６８μＦ．６．３Ｖ、Ｃ１１，Ｃ１２：２２μＦ．１６Ｖ、Ｃ１３：１μＦ．１６Ｖ、Ｃ１５〜Ｃ２２：バリスタ（日立ＡＶＲ−Ｍ１６０８Ｃ０８０ＭＢＡＡＢ）、Ｒ１：１ｋΩ．１／２Ｗ、Ｒ２，Ｒ３：２０ｋΩ．１Ｗ、Ｒ４，Ｒ１９：２．４ｋΩ、Ｒ５：１０ｋΩ、Ｒ６，Ｒ１１，Ｒ１８：６２ｋΩ、Ｒ７，Ｒ１２：５．１ｋΩ、Ｒ８：１２０Ω、Ｒ９：９１Ω、Ｒ１０：２．４ｋΩ、Ｒ１３〜Ｒ１６：１０Ω、Ｒ１７：３３０Ω、Ｒ２０〜Ｒ２７：９１Ω、ＶＲ１：２１ｋΩ、Ｌ１：６８μＨである。
【００１６】
そしてＤ１，Ｄ２：ブリッジダイオード（新電元Ｓ１ＺＢ２０−４０６２）、Ｄ３〜Ｄ６，Ｄ１３：ショットキ・バリア・ダイオード（ロームＲＢ１６１Ｌ−４０ＴＥ２５）、Ｄ７：定電圧ダイオード（日立ＨＺ１５ＢＰ）、Ｄ８，Ｄ１０：定電圧ダイオード（ロームＲＬＺＴＥ−１１５．１Ｂ２）、Ｄ９：定電圧ダイオード（日立ＨＺＵ３．３Ｂ１ＴＲＦ）、Ｄ１１：ダイオード（三洋電機ＧＭＡ０１）、Ｄ１２：ＬＥＤ（シャープＧＬ５ＥＧ−４１）、Ｄ１４，Ｄ１５：ショットキ・バリア・ダイオード（新電元Ｄ１ＦＭ３）、Ｄ１６：ＬＥＤ（シャープＧＬ５ＰＲ−４１）、Ｄ１７〜Ｄ２４：ＬＥＤ（日亜ＮＳＰＷ５１０ＢＳ）、ＩＣ１，ＩＣ５：フォトカプラ（東芝ＴＬＰ５２１−１ＧＢ）、ＩＣ２：レギュレータ（東芝ＴＫ１１２５０ＣＵＣＢ）、ＩＣ３：フォトリレー（東芝ＴＬＰ２２５Ａ）、ＩＣ４：ＤＣ／ＤＣコンバータ（ＴＯＲＥＸ．ＸＣ６３７１Ｂ５０１ＰＲ）、ＩＣ６：コンパレータ（テキサスＴＬＣ３９３ＣＰＳ）、Ｔ１：トランス（染谷電子Ｐ２６−１３４）、ＴＲ１，ＴＲ３：ＦＥＴ（日立２ＳＪ４８４ＷＹＴＬ）、ＴＲ２：ＭＯＳＦＥＴ（日立２ＳＫ２９７８ＺＹＴＬ）、ＴＲ５：ＦＥＴ（ＮＥＣ．２ＳＫ１１３３−Ｌ）である。
【００１７】
なお、この実施例では、整流用（Ｄ３〜Ｄ６）および逆耐防止（Ｄ１３〜Ｄ１５）に順電圧（ＶＦ）の低いショットキ・バリア・ダイオードを使用し、遠隔操作スイッチと連動するフォトリレーＩＣ（ＩＣ３）にＯＮ抵抗の低いものを使用し、ＦＥＴもＯＮ抵抗の低いもの、レギュレータも低飽和型のものを使用し、さらに切替制御回路４ｃをトランスを介さずに作動するようにすることで、消費電力を略０．７Ｗに抑えて小型電源トランス（Ｔ１）の採用を可能にしている。
【００１８】
また、光源をＬＥＤ（ＬＥＤ５）とするとともに、その作動電圧をＤＣ５Ｖとし、電池７の電圧が放電基準電圧の２Ｖまで下がっても昇圧回路４ｇで５Ｖまで昇圧するようにしたことで、電池７を、２．４Ｖ６００ｍＡｈ×２セルのニッケル−カドミウム（Ｎｉ−ｃｄ）電池に小型化している。
【００１９】
かかる実施例の客席誘導灯１にあっては、光源としてＬＥＤ５を具えており、ＬＥＤはそれ自体小型である上、消費電力が少ないことから電源トランスＴ１を含む電源回路としてのＡＣ／ＤＣ変換回路４ａ，４ｂや電池７も小さくて済む。従って、この実施例の客席誘導灯１によれば、ケース２をコンパクトなものとし得て、当該客席誘導灯１が設置される客席となる椅子Ｃの脚部フレームＦの設計の自由度を高めることができる。しかも、椅子Ｃの脇に当該客席誘導灯１を設置した状態でＬＥＤユニット６のＬＥＤ５が斜め下向きに配置されるので、真下を向いた場合よりも投光範囲が拡がることからＬＥＤの投光範囲を有効に生かし得て、椅子Ｃの脚部フレームＦの下端部等付近から所要の投光範囲ＬＡの通路を充分に照明することができる。
【００２０】
しかも、この実施例の客席誘導灯１によれば、ＬＥＤユニット６にＬＥＤ５を互いに並列接続で複数具えるとともに、それら複数のＬＥＤ５のうちの所定数以上が故障したことを検知して警告を出力するＬＥＤ故障検知手段としてのＬＥＤ切れ検出回路４ｉを具えているので、個々のＬＥＤ５の照度はさほど高くなくても、ＬＥＤ５が複数集まることで通路を充分に照明することができ、しかも複数のＬＥＤ５が互いに並列接続されているので、それらの一部が故障しても残りのＬＥＤ５で照度を確保することができ、複数のＬＥＤ５のうちの所定数以上が故障して所定の照度が維持できなくなったらＬＥＤ切れ検出回路４ｉがそれを検知して赤色のランプモニタ用ＬＥＤ５（Ｄ１６）を点灯させるので、光源用のＬＥＤ５を適当な時期にユニット６ごと交換し得て、常に所定の照度を維持することができる。
【００２１】
さらに、この実施例の客席誘導灯１によれば、上述のように、停電時の電池７での発光への切り換え回路である切替制御回路４ｃが、商用電源の電圧をＬＥＤ５の作動電圧に変換する電源トランスＴ１を介さず、商用電源に直接接続されるものであることから、商用電源の電圧である１００ＶをＬＥＤ５の作動電圧である５Ｖに変換する電源トランスＴ１の負担が減るので、その電源トランスＴ１を小型にし得て、ケース２をよりコンパクトなものとすることができる。
【００２２】
さらに、この実施例の客席誘導灯１によれば、上述のように、遠隔操作スイッチＳＷ０による点灯・消灯制御回路である遠隔操作スイッチ制御回路４ｅが、商用電源の電圧をＬＥＤ５の作動電圧に変換する電源トランスＴ１を介さず、商用電源に直接接続されるものであることから、商用電源の電圧である１００ＶをＬＥＤ５の作動電圧である５Ｖに変換する電源トランスＴ１の負担が減るので、その電源トランスＴ１をこの点でも小型にし得て、ケース２をよりコンパクトなものとすることができる。
【００２３】
以上、図示例に基づき説明したが、この発明は上述の例に限定されるものでなく、例えば、光源としてのＬＥＤ５の個数や、ＬＥＤ５を点灯させる電子回路の構成や、ケース２の形状等は、所要に応じて適宜変更することができる。
【図面の簡単な説明】
【図１】（ａ），（ｂ）および（ｃ）は、この発明の客席誘導灯の一実施例を示す正面図、下面図および側方から見た断面図である。
【図２】（ａ）および（ｂ）は、上記実施例の客席誘導灯を客席となる背座起立式連結椅子の脚部フレームの脇に装着された状態で示す斜視図および正面図である。
【図３】上記実施例の客席誘導灯の構造を示す分解斜視図である。
【図４】上記実施例の客席誘導灯の電子回路図である。
【符号の説明】
１  客席誘導灯
２  ケース
２ａ  投光孔
２ｂ  ボタン孔
２ｃ，２ｄ  モニタ孔
３  ベース
４  プリント基板
５  ＬＥＤ（発光ダイオード）
６  ＬＥＤユニット
７  電池
８  絶縁フィルム
９  ボタン
１０  スペーサ
１１  面ファスナ
Ｃ  連結椅子
Ｆ  脚部フレーム
ＬＡ  照射範囲
【図１】
2005005195.tif 000003
【図２】
2005005195.tif 000004
【図３】
2005005195.tif 000005
【図４】
2005005195.tif 000006